(57)【特許請求の範囲】
【請求項１】
基台１の前後両端位置に回動自在に取り付けられた一対の支持具４、４’にて保持されるレール５に回転刃１０を有するスライダー６を摺動自在に装着してあり、前記スライダー６は弾発部材１１により常時上方に弾発支持されて、前記レール５の上面と前記スライダー６の案内枠８の上面内壁との間にスライダー６の昇降を許容する空間Ｓが形成されており、前記スライダー６を押圧して下降させることにより回転刃１０の刃先がレール５の下端より突出するペーパーカッターにおいて、前記レール５の前後両端位置に、前記スライダー６を上方に弾発支持された状態でレール５の前端もしくは後端に位置させた時に前記空間Ｓ内に入り込んでスライダー６の下降を不可能とする係止部１３、１３’を設けたことを特徴とするペーパーカッター。
【発明の詳細な説明】
【０００１】
【発明の属する技術分野】
本発明は、回転刃を有するスライダーを下方に押圧しながらレールに沿って摺動させることにより紙を切断するペーパーカッターに関するものである。
【０００２】
【従来の技術】
従来より、回転刃を有するスライダーを下方に押圧しながらレールに沿って摺動させることにより回転刃が基台に載せられた紙を押し付けた状態で回転し、これにより紙を切断することができるペーパーカッターは知られており、例えば、米国特許５，３２２，００１号、特開平１０−３４５９２号などに開示されている。この種のペーパーカッターは、基台の前後両端に回動自在に取り付けられた支持具にてレールを保持し、そのレールに回転刃を有するスライダーを摺動自在かつ昇降自在に装着してあるもので、そのスライダーは弾発部材により常時は上方に弾発支持されており、回転刃の刃先は常時はレールの下端よりも上方に位置しているものである。そして、切断しようとする紙を基台に載せたりスライダーに保持された回転刃を交換する作業は、支持具を回動させてレールを上方に位置させた状態で行うものとしており、紙を載せた後や回転刃を交換した後には、再度支持具を回動させてレールを下方に位置させるものとしている。
【０００３】
【発明が解決しようとする課題】
ところが、従来のこの種のペーパーカッターではスライダーがレールに対して常に昇降自在となっているため、支持具を回動させてレールを上方もしくは下方に位置させる時や、紙を基台に載せたり回転刃を交換する時に、例えばスライダーを手で握るようにして持つなどして、スライダーを常時上方に弾発支持している弾発部材の弾発力に抗する力がスライダーに少しでも加わると、スライダーが下降して回転刃の刃先がレールの下端より突出してしまい、その刃先で手や指を傷つけてしまう恐れがあった。そこで、本発明はそのような問題点を解消して、レールを上方もしくは下方に位置させる時や、基台に紙を載せる時や、回転刃を交換する時において、手や指を傷つける恐れのない安全性の高いペーパーカッターを提供することを目的とするものである。
【０００４】
【課題を解決するための手段】
本発明は前記課題を解決するために、基台１の前後両端位置に回動自在に取り付けられた一対の支持具４、４’にて保持されるレール５に回転刃１０を有するスライダー６を摺動自在に装着してあり、前記スライダー６は弾発部材１１により常時上方に弾発支持されて、前記レール５の上面と前記スライダー６の案内枠８の上面内壁との間にスライダー６の昇降を許容する空間Ｓが形成されており、前記スライダー６を押圧して下降させることにより回転刃１０の刃先がレール５の下端より突出するペーパーカッターにおいて、前記レール５の前後両端位置に、前記スライダー６を上方に弾発支持された状態でレール５の前端もしくは後端に位置させた時に前記空間Ｓ内に入り込んでスライダー６の下降を不可能とする係止部１３、１３’を設けたペーパーカッターである。
【０００５】
【発明の実施の形態】
以下、本発明の実施の形態を図面を基にして詳細に説明する。図１〜図７は本発明の一実施例を示すものである。１は切断する紙を載せる基台で前後両端位置には一対の支持片２、２’が立設してあり、又、後述するスライダー６の回転刃１０と対向する位置にはカッターマット３が設けてある。このカッターマット３は両面テープにて接着固定してあるものであり、このカッターマット３が古くなった場合には両面テープを剥すことにより新たなものと交換することができる。
【０００６】
４、４’は支持片２、２’に枢着することにより回動自在に取り付けられた一対の支持具であり、この支持具４、４’の間には断面略コ字状のレール５が保持されている。このレール５は前端部分を支持具４の側面に嵌合固定すると共に後端部分を支持具４’の側面に嵌合固定することにより支持具４、４’に保持されているものであり、支持具４、４’を上方に回動させることによりレール５は図７に示すように上方に位置して、この状態にて基台１に紙を載せることができるものであり、図１に示すようにレール５が下方に位置している時には、基台１に載せられた紙はレール５により押さえつけられるものとなっている。尚、レール５を支持具４、４’に保持させる方法は前記したように嵌合固定によるものの他、ネジにより固定して保持させるものであっても良い。
【０００７】
６はレール５に摺動自在に装着されたスライダーであり、図２、図３に示すようにスライダー本体７と、そのスライダー本体７に設けられた軸９を回転軸として装着される円形の回転刃１０と、スライダー本体７の背面下方に取り付けられた弾発部材１１と、スライダー本体７の回転刃１０装着側に着脱自在に取り付けられて、回転刃１０の一側面を支持して回転刃１０を回転自在に保持すると共に紙を切断中において回転刃１０を覆い隠して指を傷つけないようにするキャップ１２とを備えているものである。又、スライダー本体７の背面にはレール５の上方を覆う案内枠８が形成してある。
【０００８】
ここで、本実施例における弾発部材１１は弾力性のあるプラスチック製のものとしているが、この弾発部材１１は金属製のコイルスプリングなどであっても良い。又、本実施例におけるキャップ１２の着脱の構成については、図示していないがキャップ１２を左右に回動させることにより着脱をすることができるツイスト式のものとしている。しかしながら、このキャップ１２の着脱の構成についてはツイスト式の他、圧入嵌合、凹凸嵌合、ネジ式など様々な公知の形態であっても良い。
【０００９】
そして、スライダー６は図３に示すような形態でレール５に摺動自在に装着されているものであり、その装着方法は、レール５を支持具４、４’に保持させる前において、レール５の前端もしくは後端から弾発部材１１をレール５の内部に差し込むことにより装着されるものであり、このように装着した状態においては、スライダー６は弾発部材１１により常時上方に弾発支持されている。又、スライダー６をレール５に装着した際、スライダー本体７の背面に形成された案内枠８の上面内壁とレール４の上面の間には空間Ｓが形成されるようにしてあるので、弾発部材１１により上方に弾発支持されているスライダー６を下方に押圧すると、図４に示すようにスライダー６はその空間Ｓの範囲内において下降することができ、押圧を解くとスライダー６は上昇して元の位置に戻る。つまり、スライダー６は空間Ｓにより昇降が許容されているものである。尚、スライダー６が弾発部材１１により上方に弾発支持されている時は図３に示すように回転刃１０の刃先は下端よりも上方に位置しており、スライダー６を下方に押圧した時に回転刃１０の刃先がレール４の下端より突出するものである。
【００１０】
１３、１３’はレール５の前端部分及び後端部分が嵌合固定される支持具４、４’のそれぞれの側面に一体に形成された係止部であり、レール５の前端部分、及び後端部分をそれぞれ支持具４、４’の側面に嵌合固定した際に、そのレール５の前端及び後端の上面に位置するように形成されており、又、スライダー６が弾発部材１１により上方に弾発支持された状態においてそのスライダー６を摺動させてレール５の前端もしくは後端に位置させた際に、案内枠８の上面内壁とレール４の上面の間に形成された空間Ｓに入り込む大きさに形成されている。
【００１１】
次に、本実施例によるペーパーカッターを使用する際には、まず、スライダー６を上方に弾発支持された状態で図５に示すようにレール５の後端まで摺動させる。すると、係止部１３’は空間Ｓ内に入り込むので、その空間Ｓは図６に示すように塞がれた状態となる。従って、この状態においてはスライダー６の下降は不可能となっている。
【００１２】
次に、図５、図６に示すようにスライダー６を下降不可能な状態にしたら、支持具４、４’を上方に回動させて図７に示すようにレールを５を上方に位置させて、切断しようとする紙を基台１に載せる。そして、紙を基台１に載せたら支持具４、４’を下方に回動させてレール５を下方に位置させる。以上の作業により、紙を切断する準備が整ったこととなる。ここで、前記した紙を切断する準備の一連の作業においてスライダー６は常に下降不可能な状態にあるので、レールを５を上方もしくは下方に位置させる際や紙を基台１に載せる際に、スライダー６にそれ自身を下降させる何らかの力が加わったとしてもスライダー６は下降することができず、回転刃１０の刃先がレール５の下端より突出することはない。従って、レールを５を上方もしくは下方に位置させる際や紙を基台１に載せる際において、回転刃１０の刃先により手や指を傷つける恐れがない。
【００１３】
そして、紙を切断する準備が整った後は、空間Ｓに入り込んだ係止部１３’が完全に露呈するまでスライダー６を上方に弾発支持された状態で前方に摺動させ、係止部１３’が完全に露呈したらスライダー６を下方に押圧しながら前方に摺動させる。すると、回転刃１０はその刃先が図４に示すようにレール５の下端から突出した状態で紙を押し付けながら回転するので、これにより、基台１に載せられた紙を切断することができる。尚、この切断時において、基台１にはカッターマット３が設けてあるので、このカッターマット３により回転刃１０の切れ味は鋭いものとなり、又、回転刃１０の刃先を傷めることもない。
【００１４】
そして、紙の切断が終了したら、スライダー６への押圧を解いてスライダー６を上方に弾発支持された状態にし、その状態で図５に示すように空間Ｓに係止部１係止部１３’が入り込むまでスライダー６をレール５の後端まで摺動させてスライダー６を下降不可能な状態にする。この後、図７に示すようにレール５を上方に位置させて切断された紙を基台１より取り出す。尚、このように紙を基台１より取り出す場合においても、スライダー６は下降することができず回転刃１０の刃先がレール５の下端より突出することはないので、回転刃１０の刃先により手や指を傷つける恐れがない。
【００１５】
以上が、本実施例におけるペーパーカッターによる紙の切断方法であるが、回転刃１０を交換する場合は、前記した紙を切断する準備の一連の作業と同様にスライダー６を下降不可能な状態にしてレール５を上方に位置させた後にキャップ１２を取り外して回転刃１０を交換するものであるので、回転刃１０を交換するためにキャップ１２を取り外す際においても手や指を傷つける恐れがない。
【００１６】
以上、本発明の実施の形態として一実施例を説明してきたが、前記した実施例における紙を切断する準備の一連の作業では、スライダー６を下降不可能な状態にする際にスライダー６をレール５の後端まで摺動させて空間Ｓに係止部１３’を入り込ませるものとしていたが、スライダー６を下降不可能な状態にする際にはスライダー６をレール５の前端まで摺動させて、係止部１３を空間Ｓに入り込ませても良い。又、前記した実施例では、係止部１３、１３’を支持具４、４’の側面に一体に形成したものとしていたが、この係止部１３、１３’はあらかじめ別体に形成したものとして、それを支持具４、４’の側面やレール５の上面に接着剤やネジにより固定するものであっても良く、あるいは、レール５の上面に係止部１３、１３’を一体に形成しても良いものである。
【００１７】
【発明の効果】
以上の通り、本発明は支持具４、４’に保持されたレール５の前後両端位置に、スライダー６を上方に弾発支持された状態でレール５の前端もしくは後端に位置させた時に案内枠８の上面内壁とレール５の上面の間に形成されたスライダー６の昇降を許容する空間Ｓに入り込む係止部１３、１３’を設けて、スライダー６をレール５の前端もしくは後端に位置させた時はスライダー６の下降を不可能としたので、その状態においては回転刃１０の刃先がレール５の下端より突出することはない。従って、その状態においてレール５を上方もしくは下方に位置させたり、紙を基台１に載せたり、回転刃１０を交換したりする作業を行なえば、回転刃１０の刃先により手や指を傷つける恐れがないものであり、本発明のペーパーカッターは安全性が高いものである。
【図面の簡単な説明】
【図１】本発明の一実施例の全体斜視図。
【図２】本発明の一実施例のスライダー６の背面図。
【図３】本発明の一実施例のスライダー６が上方に弾発支持されている状態を示す要部断面図。
【図４】本発明の一実施例のスライダー６を下降させた状態を示す要部断面図。
【図５】本発明の一実施例のスライダー６を下降不可能とした状態を示す全体斜視図。
【図６】本発明の一実施例のスライダー６を下降不可能とした状態を示す要部断面図。
【図７】本発明の一実施例のレール５を上方に位置させた状態を示す一部切欠斜視図。
【符号の説明】
１  基台
２、２’支持片
３  カッターマット
４、４’支持具
５  レール
６  スライダー
７  スライダー本体
８  案内枠
９  軸
１０  回転刃
１１  弾発部材
１２  キャップ
１３、１３’係止部
【図１】
0003999896.tif 000002
【図２】
0003999896.tif 000003
【図３】
0003999896.tif 000004
【図４】
0003999896.tif 000005
【図５】
0003999896.tif 000006
【図６】
0003999896.tif 000007
【図７】
0003999896.tif 000008